(57)【要約】【課題】蒸発器に送風される空気の流れを最適化することで、運転に要する電力が低減された冷蔵庫を提供する。【解決手段】本発明の冷蔵庫１０では、冷却室３０に配設される蒸発器１６の下方にて、除霜ヒータ３４の上方に保護板３５を配置し、その保護板３５を傾斜形状としている。従って、冷却室３０の下端付近に設けた戻り口４９から帰還する冷気は、傾斜する保護板３５に沿ってスムーズに上方に向かって送風されるようになり、冷気を高効率で循環させることが出来る。よって、冷蔵庫１０の冷却効率を向上させることが出来る。【選択図】図３
2018036010.tif 000002
【特許請求の範囲】
【請求項１】
冷媒を圧縮する圧縮機と、圧縮された前記冷媒を凝縮する凝縮器と、凝縮された前記冷媒を膨張させる膨張手段と、膨張された前記冷媒を蒸発させる蒸発器と、が配管を経由して接続された冷凍サイクルと、
前記蒸発器の下方に配置された加熱手段と、
前記加熱手段と前記蒸発器との間に配置された保護板と、を備え、
前記保護板は、水平面から傾斜して配置されることを特徴とする冷蔵庫。
【請求項２】
前記蒸発器が収納される冷却室と、前記冷却室から貯蔵室に向かって送風される冷気が通過する送風口と、前記貯蔵室を冷却して前記冷却室に帰還する前記冷気が通過する戻り口と、を更に具備し、
前記戻り口は、前記保護板よりも下方に配置され、
前記保護板は、前記戻り口から離れる方向に向かって上方に傾斜することを特徴とする請求項１に記載の冷蔵庫。
【請求項３】
前記蒸発器は、複数の冷却フィンと、前記冷却フィンを貫通する冷媒パイプと、を有し、
前記保護板は、前記冷却フィンが配置される方向に沿う長手方向と、前記長手方向に直行する短手方向と、を有する長尺形状であり、
前記保護板は、前記短手方向に沿って傾斜していることを特徴とする請求項１または請求項２に記載の冷蔵庫。
【請求項４】
前記保護板は、湾曲形状または屈曲形状を呈することを特徴とする請求項１から請求項３の何れかに記載の冷蔵庫。
【発明の詳細な説明】
【技術分野】
【０００１】
本発明は、貯蔵室の内部に食品等を冷却保存する冷蔵庫に関し、特に効率性に優れる除霜装置を有する冷蔵庫に関する。
【背景技術】
【０００２】
一般的な冷蔵庫は冷凍サイクル装置を備えており、この冷凍サイクル装置に含まれる蒸発器は並列配置された多数個の冷却フィンと、この冷却フィンに接触する冷媒パイプとを有している。
【０００３】
この蒸発器で庫内の空気を冷却すると、冷却フィンの温度は−３０度程度であるため、冷却フィン同士の間を流通する空気に含まれる水分が冷却フィンの表面に付着して固体となり霜となる。このような現象は一般に着霜とも称されている。
【０００４】
この着霜が進行すると、冷却フィン同士の間隙が霜で占められてしまい、冷気の流通を阻害するように成る。この現象を防止するために、定期的に除霜運転が行われている。
【０００５】
図５を参照して、一般的な冷蔵庫１００に備えられる除霜システムを説明する。冷蔵庫１００の各貯蔵庫に送風される空気を冷却する蒸発器１０１の下方には、蒸発器１０１に付着した霜を融解して除去するための除霜ヒータ１０２が配置されている。また、除霜ヒータ１０２と蒸発器１０１との間には、蒸発器１０１を除霜した際に滴下する融解水が除霜ヒータ１０２に接触するのを抑止するための保護板１０３が配置されている。保護板１０３は、冷蔵庫１００の幅方向に沿って伸びる鋼板からなる長尺部材であるため、その機械的強度を高めるために、両端部分が下方に向かって曲折加工されている。
【０００６】
除霜運転では、冷却室から貯蔵室への送風を停止すると共に、蒸発器１０１への冷媒の供給を停止し、蒸発器１０１の下方に配置された除霜ヒータ１０２により蒸発器を加熱する。このように除霜ヒータ１０２に通電することで温風を蒸発器１０１に供給すると、蒸発器１０１の冷却フィンに付着した霜が加熱溶融して除去される。除霜運転が終了した後は、再び冷凍サイクルを稼働させ、蒸発器１０１で冷却した冷風を各貯蔵室に送風する。
【０００７】
上記した除霜のための機構を有する冷蔵庫は、例えば以下の特許文献１および特許文献２に記載されている。
【先行技術文献】
【特許文献】
【０００８】
【特許文献１】特開２００３−４２６３７号公報
【特許文献２】特開２０１５−１０７７０号公報
【発明の概要】
【発明が解決しようとする課題】
【０００９】
しかしながら、上記した構造の冷蔵庫１００では、除霜ヒータ１０２を保護する保護板１０３に起因して、冷気の循環が阻害されてしまう課題があった。具体的には、保護板１０３は、蒸発器１０１の下方近傍にて、水平方向に対して平行に配置されているので、蒸発器１０１に冷気が吹き込まれる風路である有効風路を多少ながらも阻害している。更には、冷蔵庫１００の各貯蔵室に送風される空気は、蒸発器１０１を下方から上方に向かって流れるが、保護板１０３にてこの空気の流れが淀んでしまうことで、空気の循環量が低下してしまうことがあった。このようになると、冷気を効率的に各貯蔵室に供給することができず、冷蔵庫の運転にかかる電力が増加してしまう課題が生じる。
【００１０】
また、除霜ヒータを保護する保護板１０３に起因して、除霜工程のサイクルが短くなってしまう課題もあった。詳しくは、保護板１０３の上方部分では、保護板１０３で空気の流通が阻害されることから、蒸発器１０１に形成される霜１０４の密度が低くなり、他の部分よりも早期に霜１０４で風路が閉塞するようになる。従って、蒸発器１０１全体としてみても、霜１０４により風路が閉塞するまでの時間が早まる。よって、除霜サイクルが短くなることで、除霜ヒータ１０２を加熱させて除霜する頻度が高くなり、冷蔵庫１００の運転に必要とされる電力が増加してしまう。
【００１１】
本発明は、上記の事情に鑑みてなされたものであり、蒸発器に送風される空気の流れを最適化することで、運転に要する電力が低減された冷蔵庫を提供することを目的とする。
【課題を解決するための手段】
【００１２】
本発明の冷蔵庫は、冷媒を圧縮する圧縮機と、圧縮された前記冷媒を凝縮する凝縮器と、凝縮された前記冷媒を膨張させる膨張手段と、膨張された前記冷媒を蒸発させる蒸発器と、が配管を経由して接続された冷凍サイクルと、前記蒸発器の下方に配置された加熱手段と、前記加熱手段と前記蒸発器との間に配置された保護板と、を備え、前記保護板は、水平面から傾斜して配置されることを特徴とする。
【００１３】
また、本発明の冷蔵庫では、前記蒸発器が収納される冷却室と、前記冷却室から貯蔵室に向かって送風される冷気が通過する送風口と、前記貯蔵室を冷却して前記冷却室に帰還する前記冷気が通過する戻り口と、を更に具備し、前記戻り口は、前記保護板よりも下方に配置され、前記保護板は、前記戻り口から離れる方向に向かって上方に傾斜することを特徴とする。
【００１４】
また、本発明の冷蔵庫では、前記蒸発器は、複数の冷却フィンと、前記冷却フィンを貫通する冷媒パイプと、を有し、前記保護板は、前記冷却フィンが配置される方向に沿う長手方向と、前記長手方向に直行する短手方向と、を有する長尺形状であり、前記保護板は、前記短手方向に沿って傾斜していることを特徴とする。
【００１５】
また、本発明の冷蔵庫では、前記保護板は、湾曲形状または屈曲形状を呈することを特徴とする。
【発明の効果】
【００１６】
本発明の冷蔵庫は、冷媒を圧縮する圧縮機と、圧縮された前記冷媒を凝縮する凝縮器と、凝縮された前記冷媒を膨張させる膨張手段と、膨張された前記冷媒を蒸発させる蒸発器と、が配管を経由して接続された冷凍サイクルと、前記蒸発器の下方に配置された加熱手段と、前記加熱手段と前記蒸発器との間に配置された保護板と、を備え、前記保護板は、水平面から傾斜して配置されることを特徴とする。従って、冷蔵庫の内部にて蒸発器に向かって流動する冷気は、傾斜する保護板に沿ってスムーズに移動することから、保護板が冷気の流れを阻害することが抑止され、蒸発器における冷却効率を向上することが出来る。また、蒸発器にて略均一の密度で着霜が進行することから、着霜により風路が閉塞されるまでの閉塞時間を長くすることができ、冷蔵庫の運転に伴う除霜の回数を減少させ、消費電力を下げることが出来る。
【００１７】
また、本発明の冷蔵庫では、前記蒸発器が収納される冷却室と、前記冷却室から貯蔵室に向かって送風される冷気が通過する送風口と、前記貯蔵室を冷却して前記冷却室に帰還する前記冷気が通過する戻り口と、を更に具備し、前記戻り口は、前記保護板よりも下方に配置され、前記保護板は、前記戻り口から離れる方向に向かって上方に傾斜することを特徴とする。従って、戻り口から帰還した冷気が、傾斜する保護板に沿って良好に上昇することから、冷却室内における冷気の流れを最適化することが出来る。
【００１８】
また、本発明の冷蔵庫では、前記蒸発器は、複数の冷却フィンと、前記冷却フィンを貫通する冷媒パイプと、を有し、前記保護板は、前記冷却フィンが配置される方向に沿う長手方向と、前記長手方向に直行する短手方向と、を有する長尺形状であり、前記保護板は、前記短手方向に沿って傾斜していることを特徴とする。従って、保護板の短手方向に沿って冷気をスムーズに上方に導き、帰還する冷気を蒸発器で良好に冷却することが可能となる。
【００１９】
また、本発明の冷蔵庫では、前記保護板は、湾曲形状または屈曲形状を呈することを特徴とする。従って、屈曲点が形成されることで保護板が補強されることから、長尺物である保護板の中間部分が変形してしまうことが抑制される。
【図面の簡単な説明】
【００２０】
【図１】本発明の実施形態に係る冷蔵庫の概略構造を示す側面断面図である。
【図２】本発明の実施形態に係る冷蔵庫の供給風路を示す正面略図である。
【図３】本発明の実施形態に係る冷蔵庫を示す図であり、（Ａ）は冷却室およびその近傍を示す側面断面図であり、（Ｂ）は除霜ヒータおよびその近傍を拡大して示す側面断面図であり、（Ｃ）および（Ｄ）は保護板を示す側面図である。
【図４】本発明の実施形態に係る冷蔵庫が備える蒸発器およびその近傍を示す正面図である。
【図５】背景技術に係る冷蔵庫が備える蒸発器およびその近傍を示す側面断面図である。
【発明を実施するための形態】
【００２１】
以下、本発明の実施形態に係る冷蔵庫を図面に基づき詳細に説明する。以下の説明では、上下前後左右の各方向を用いて説明するが、左右とは冷蔵庫１０を正面から見た場合を示している。また、各図では、冷気の流れを点線の矢印で示している。
【００２２】
図１は、本実施形態に係る冷蔵庫１０の右側面断面図である。図２は、冷蔵庫１０の供給風路の概略を示す正面略図である。
【００２３】
図１に示すように、冷蔵庫１０は、本体としての断熱箱体１１を備え、断熱箱体１１の内部に食品等を貯蔵する貯蔵室が形成されている。この貯蔵室としては、最上段が冷蔵室１２、その下段が冷凍室１３、最下段が野菜室１４である。ここで、冷凍室１３は、その内部が幾つかの小冷凍室に区画されてもよい。例えば、冷凍室１３は、上段部分に製氷室および上段冷凍室を備え、下段部分に下段冷凍室を有してもよい。
【００２４】
断熱箱体１１の前面は開口しており、冷蔵室１２の前方開口は断熱性を有する扉２０で塞がれ、冷凍室１３の前方開口は扉２１で塞がれ、野菜室１４の前方開口は扉２２で塞がれている。扉２０は断熱箱体１１に回転可能に取り付けられ、扉２１、２２は断熱箱体１１に引き出し可能に取り付けられている。これらの扉２０等も、断熱箱体１１と同様の断熱構造を採用している。
【００２５】
冷蔵室１２と冷凍室１３とは、断熱仕切壁２３によって仕切られている。同様に、冷凍室１３と野菜室１４とは、断熱仕切壁２４によって仕切られている。
【００２６】
冷凍室１３の奥側には、合成樹脂製の仕切部材である前面カバー３３で区画され、送風路３６が形成されている。具体的には、送風路３６は、仕切体３１とその前方に組み付けられる前面カバー３３との間に形成された空間であり、蒸発器１６で冷却された冷気を流す風路となる。
【００２７】
前面カバー３３には、冷凍室１３に冷気を吹き出す開口である吹出口３２が形成されている。また、冷凍室１３の下部背面には、冷凍室１３から冷却室３０へと空気を戻す戻り口４０が形成されている。
【００２８】
冷蔵室１２の背面には、冷蔵室１２へと冷気を供給する送風路２６が形成されている。送風路２６には、冷蔵室１２に冷気を流す吹出口２５が形成されている。送風路３６と送風路２６とは、ダンパ２７を介して連通している。ダンパ２７は、冷蔵室１２へと供給する冷気の流量を制御して、冷蔵室１２内部の温度を適切に維持するためのものである。
【００２９】
送風路３６の更に奥側には、仕切体３１で区分けた冷却室３０が設けられている。仕切体３１の上部には、冷却室３０と送風路３６とをつなぐ送風口２９が形成されており、送風口２９には、各貯蔵室に冷気を供給するための送風機２８が配設されている。冷却室３０の下方には、各貯蔵室からの冷気を冷却室３０の内部へと吸入する戻り口４９が形成されている。
【００３０】
冷却室３０の内部には、循環する空気を冷却するための蒸発器１６が配置されている。蒸発器１６は、圧縮機１５、図示しない放熱器、図示しない膨張手段に冷媒配管を介して接続されており、蒸気圧縮式の冷凍サイクル回路を構成するものである。尚、冷凍サイクルの冷媒としては、例えば、イソブタン（Ｒ６００ａ）を用いている。
【００３１】
図２を参照して、上記した構成を有する冷蔵庫１０に於いて、冷気を循環させることで各貯蔵庫を冷却する動作を説明する。図２は、冷気が循環する経路を示す冷蔵庫１０の正面図である。
【００３２】
先ず、蒸発器１６により冷却された冷却室３０の内部の冷気は、冷蔵室１２、冷凍室１３および野菜室１４に供給される。具体的には、冷却室３０からの冷気は、送風機２８で送風されることで、送風路３６、ダンパ２７、送風路２６および吹出口２５を経由して、冷蔵室１２に供給される。また、送風機２８で送風された冷気の一部は、送風路３６および吹出口３２を経由して、冷凍室１３に供給される。更に、送風機２８で送風された冷気の一部は、送風路４６および吹出口４３を経由して、野菜室１４に供給される。
【００３３】
上記のように各貯蔵室を冷却した冷気は、冷却室３０に帰還する。具体的には、冷蔵室１２を冷却した空気は、戻り口４５、帰還風路４７および戻り口５３を経由して、冷却室３０の下端付近に帰還する。冷凍室１３を冷却した冷気は、戻り口４０を経由して、冷却室３０の下端付近に帰還する。野菜室１４を冷却した冷気は、図１に示すように、戻り口４８、帰還風路４４を経由して、冷却室３０の下端付近に帰還する。
【００３４】
図示しない制御装置の指示に基づいて、蒸発器１６で冷却した冷気が、上記の送風経路および帰還経路を経由して循環することで、冷蔵室１２、冷凍室１３および野菜室１４は所定の低温状態に冷却される。
【００３５】
図３を参照して次に、蒸発器１６の霜５０を除去するための構成を説明する。図３（Ａ）は蒸発器１６およびその周辺部を示す側面断面図であり、図３（Ｂ）は除霜ヒータ３４およびその周辺部を拡大して示す側面断面図であり、図３（Ｃ）および図３（Ｄ）は保護板３５を拡大して示す側面断面図である。
【００３６】
図３（Ａ）を参照して、冷却室３０の内部における蒸発器１６の下方には、蒸発器１６を除霜する除霜装置としての除霜ヒータ３４が配置されている。除霜ヒータ３４は加熱手段であり、筒状のガラス管に発熱体が内蔵されて構成され、除霜ヒータ３４に通電すると発熱し、この熱で加熱された暖気で蒸発器１６に付着した霜５０が融解される。また、冷却室３０を区画する仕切体３１の下端は、除霜ヒータ３４の上端よりも下方に配置されている。このようにすることで、除霜ヒータ３４で加熱された暖気が冷却室３０から冷凍室１３側に漏れてしまうことを抑止することが出来る。
【００３７】
除霜ヒータ３４と蒸発器１６との間には保護板３５が配置されている。保護板３５は、ステンレス等の金属からなる板状部材であり、冷蔵庫１０の幅方向に沿って長手方向を有する細長い長尺形状を呈している。保護板３５の冷蔵庫１０の幅方向における長さは、蒸発器１６と同程度である。後述するように、保護板３５の短手方向の形状は図３（Ｂ）に示すような傾斜形状であり、保護板３５の長手方向の形状は図４に示すように水平方向に直線状に延びる形状である。
【００３８】
図３（Ｂ）を参照して、保護板３５の冷蔵庫１０の奥行き方向における長さは、除霜ヒータ３４よりも若干広い程度とされている。また、保護板３５の前側端部は除霜ヒータ３４の前側端部よりも前方に配置され、保護板３５の後方端部は除霜ヒータ３４の後方端部よりも後側に配置される。これにより、除霜ヒータ３４は全体的に上方から保護板３５で保護され、除霜行程において霜５０を溶融させることで発生する融解水が下方に滴下しても、その融解水が除霜ヒータ３４に接触することが抑止されている。
【００３９】
保護板３５を側方から見た場合の形状は、後方に向かって上方に傾斜する傾斜形状となっている。換言すると、保護板３５は、冷気が冷却室３０に帰還する戻り口４９から離れる方向に向かって上方に傾斜する傾斜形状を呈している。
【００４０】
保護板３５を側方から見た場合の形状は平坦形状でも良いが、本形態では、保護板３５は湾曲形状等を呈している。係る事項を図３（Ｃ）および図３（Ｄ）を参照して説明する。
【００４１】
図３（Ｃ）を参照して、保護板３５を側方から見た場合の形状は、その中間部分が湾曲する湾曲形状となっている。具体的には、保護板３５の前方部分は上方に向かって凸となるように湾曲し、保護板３５の後方部分は下方に向かって凸となるように湾曲している。このように、保護板３５を側方から見た場合の形状を湾曲形状とすることで、保護板３５の機械的強度を増し、保護板３５の長手方向における中間部が自重で湾曲してしまうことを抑止することが出来る。
【００４２】
図３（Ｄ）を参照して、ここでは、保護板３５は、複数の屈曲部が形成された屈曲形状を呈している。具体的には、保護板３５の前方部分は後方に向かって上方に傾斜する傾斜面であり、保護板３５の中間部分は水平方向に沿って伸びる平行面であり、保護板３５の後方部分は後方に向かって上方に傾斜する傾斜面である。これらの各面どうしの境界には屈曲部が形成されている。係る形状であっても、保護板３５の機械的強度を向上し、長手方向における保護板３５の湾曲を抑止できる。
【００４３】
更に、保護板３５を上記したように湾曲形状または屈曲形状とすることで、下方から上方に向かって送風される冷風が、このような形状の保護板３５に沿ってスムーズに流れようになり、冷風の有効風路を拡大することが出来る。
【００４４】
図４は、冷蔵庫１０が備える蒸発器１６および帰還風路４７を前方から見た正面図である。この図を参照して、冷蔵室１２を冷却した冷気が冷却室３０に帰還する帰還風路４７は、蒸発器１６の右側方に形成されている。また、帰還風路４７は、蒸発器１６の下端よりも下方に形成された戻り口５３を介して、冷却室３０と連通している。
【００４５】
蒸発器１６は、所定間隔で幅方向に配設された複数の冷却フィン５１と、この冷却フィン５１を貫通するように配置された冷媒パイプ５２とから構成される。蒸発器１６は、幅方向に所定個数の冷却フィン５１が配置された列を単位として、この列が高さ方向に等間隔に複数個配置されている。冷媒パイプ５２は、各列の冷却フィン５１を貫通するように蛇行して成形されている。
【００４６】
図３および図４を参照して、本形態の冷蔵庫１０の冷却室３０に於ける冷気の流れ等を説明する。
【００４７】
まず、図３を参照して、冷却時における保護板３５の周辺部における冷気の流れに関して説明する。本形態では、上記したように、保護板３５を水平方向から傾斜するように配置している。詳述すると、保護板３５は、戻り口４９から離れる方向に向かって上方に傾斜している。従って、戻り口４９から冷却室３０に帰還した冷気は、送風機２８の送風機能により冷却室３０の内部を上昇するようになるが、冷却室３０の内部において冷気の流れが保護板３５で淀むことはない。戻り口４９から冷却室３０に帰還した冷気は、傾斜する保護板３５に沿って冷却室３０の内部をスムーズに上昇する。その後、蒸発器１６と熱交換することで冷却された冷気は、上記した送風路を経由して、各貯蔵室に送風される。
【００４８】
従って、各貯蔵庫を冷却して冷却室３０に帰還する冷風は、戻り口４９を経由した後に冷却室３０の内部において、傾斜する保護板３５に沿ってスムーズに上方に向かって送風され、冷気の流れが保護板３５で阻害されることが抑止されている。即ち、蒸発器１６の下方の領域において、冷風が送風される有効風路を増大することが出来る。このことから、冷気を循環させる効率を向上し、各貯蔵室を冷却するために圧縮機１５を運転する時間を短くし、冷却運転で消費されるエネルギを低減することで省エネルギを実現することが出来る。
【００４９】
上記のように、帰還した冷気が蒸発器１６に接すると、戻り冷気に含まれる水分が蒸発器１６に付着して凍結することで、図３（Ｂ）に示すように、蒸発器１６の下端付近に霜５０が付着する。特に、野菜室１４および冷蔵室１２から帰還する冷気は、野菜室１４および冷蔵室１２に貯蔵される食品等から発せられた水分を多く含むので、この冷気が霜５０を早期に成長させることになる。
【００５０】
本形態では、上記したように、冷却室３０の内部で上昇する冷気の流れが保護板３５で淀むことがない。従って、保護板３５の上方部分であっても、他の部分と同様に、蒸発器１６の下端部分には密な霜５０が均一に着霜するようになる。よって、蒸発器１６の下端部分が霜５０で閉塞されるまでの時間を長くし、除霜行程のインターバルを長くし、冷蔵庫１０の運転に要するエネルギを低減することが出来る。
【００５１】
また、図４を参照すると、冷蔵室１２から冷却室３０に帰還する冷気は、保護板３５および除霜ヒータ３４の下方に側方から送風された後に、蒸発器１６に向かって上方に流動する。この冷気の経路においても、上記したように保護板３５が傾斜していることで、保護板３５が冷気の流動を阻害することが抑制されているので、冷気が上昇する有効風路を増大させ、冷気の循環を効率化することが出来る。
【００５２】
蒸発器１６による冷気の冷却を連続して行うと、霜５０が図４に示す冷却フィン５１に大量に付着し、冷却フィン５１同士の間隙が霜５０により塞がれてしまい、冷気が上方に流通できずに蒸発器１６による冷却の効率が低下する。また、霜５０により熱交換が阻害されるようになる。よって、霜５０を除去する除霜行程を行う。除霜行程は、蒸発器１６で冷気を連続して冷却する時間が一定以上となった場合、または冷却負荷が一定以上になった場合に、図示しない制御装置の指示に基づいて行う。除霜行程では、送風機２８を停止し、冷凍サイクルの圧縮機１５を停止する。更に、除霜ヒータ３４に通電することで加熱した温風を上昇させ、冷却室３０の内部にて蒸発器１６に温風を送り込み、蒸発器１６に付着した霜５０を溶解する。霜５０が溶解することで発生した溶解水は、露受皿４２に滴下した後に、図示しない蒸発皿に移動する。所定の時間が経過することで、または冷却室３０の内部温度が一定に達することで、除霜行程が終了したら、図示しない制御装置は、除霜ヒータ３４への通電を終了させ、送風機２８および圧縮機１５を再び運転し、蒸発器１６で冷却した冷気を各貯蔵室に送風する。
【００５３】
本形態では、上記したように、保護板３５は水平線から傾斜する傾斜形状を呈している。従って、除霜ヒータ３４で加熱された温風による上昇気流は、保護板３５で淀むことはなく、傾斜する保護板３５に沿ってスムーズに蒸発器１６に向かって上昇する。このことから、除霜ヒータ３４で加熱された温風を効率的に蒸発器１６に供給することか可能となり、蒸発器１６に付着した霜５０を早期に溶解することができる。従って、除霜ヒータ３４に通電する時間を短くし、除霜行程に要するエネルギを低減することが出来る。
【００５４】
本発明は、上記実施形態に限定されるものではなく、その他、本発明の要旨を逸脱しない範囲で、種々の変更実施が可能である。
【符号の説明】
【００５５】
１０   冷蔵庫
１１   断熱箱体
１２   冷蔵室
１３   冷凍室
１４   野菜室
１５   圧縮機
１６   蒸発器
２０   扉
２１   扉
２２   扉
２３   断熱仕切壁
２４   断熱仕切壁
２５   吹出口
２６   送風路
２７   ダンパ
２８   送風機
２９   送風口
３０   冷却室
３１   仕切体
３２   吹出口
３３   前面カバー
３４   除霜ヒータ
３５   保護板
３６   送風路
４０   戻り口
４２   露受皿
４３   吹出口
４４   帰還風路
４５   戻り口
４６   送風路
４７   帰還風路
４８   戻り口
４９   戻り口
５０   霜
５１   冷却フィン
５２   冷媒パイプ
５３   戻り口
１００ 冷蔵庫
１０１ 蒸発器
１０２ 除霜ヒータ
１０３ 保護板
１０４ 霜
【図１】
2018036010.tif 000003
【図２】
2018036010.tif 000004
【図３】
2018036010.tif 000005
【図４】
2018036010.tif 000006
【図５】
2018036010.tif 000007